(57)【要約】【課題】  再生信号の分布の分離度を高くして、多値情報の符号間干渉の影響を低減する。【解決手段】  連続する３つのセルにおける前後セルの多値の合計値に対する中央セルの取り得る再生信号振幅の変化の割合を予め取得する。そして、再生する際に、セル毎に隣接する前後セルの多値の合計値を取得し、前記合計値と前記変化の割合とに基づいて中央セルで取得された再生信号振幅を補正する。その結果、補正された再生信号振幅に基づいて多値情報の再生を行うことにより、多値情報の符号間干渉の影響を低減できる。【選択図】  図１２
2007066464.tif 000002
【特許請求の範囲】
【請求項１】
トラックを備えた光学的情報記録媒体に対して、前記トラック上に設けられた仮想的な一定間隔のセルに、トラック方向に情報ピットの幅、或いは、情報ピットの面積を変えて、再生信号の振幅を多段階にすることによりｎレベルの多値情報を記録及び／又は再生する光学的情報記録再生装置において、
連続する３つのセルにおける前後セルの多値の合計値に対する中央セルの取り得る再生信号振幅の変化の割合を予め取得する手段と、
再生する際に、セル毎に隣接する前後セルの多値の合計値を取得する手段と、
前記合計値と前記変化の割合とに基づいて中央セルで取得された再生信号振幅を補正し、補正された再生信号振幅に基づいて多値情報の再生を行う再生手段とを備えることを特徴とする光学的情報記録再生装置。
【請求項２】
前記再生信号振幅の変化の割合は、中央セルのレベル毎に取得されることを特徴とする請求項１記載の光学的情報記録再生装置。
【請求項３】
前記再生信号振幅の変化の割合は、前記中央セルのレベル毎に取得された該変化の割合の１つであることを特徴とする請求項２記載の光学的情報記録再生装置。
【請求項４】
前記再生信号振幅の変化の割合は、前記中央セルのレベル毎に取得されたものの平均値であることを特徴とする請求項１記載の光学的情報記録再生装置。
【請求項５】
前記補正は、前記補正された再生信号振幅をレベル毎に等間隔にすることを特徴とする請求項１記載の光学的情報記録再生装置。
【発明の詳細な説明】
【技術分野】
【０００１】
本発明は、情報ピットのレベルを３値以上の値を用いて記録或いは再生を行う、多値情報を記録または／かつ再生する光学的情報記録再生装置及び方法である。特に、光学的情報媒体より得られた再生信号から、符号間干渉の影響、または／かつ非線形性の影響を補正するものについてである。
【背景技術】
【０００２】
近年、光メモリ産業は拡大しつつあり、再生専用のＣＤやＤＶＤから、金属薄膜や色素系記録材料を用いた追記型、更には、光磁気材料や相変化材料を用いた書換え型まで開発され、その応用も民生からコンピュータの外部メモリへと拡大している。
【０００３】
そして、更に記録容量の高密度化の研究開発が進められており、情報の記録再生に関わる光スポットを微小化する技術として、光源の波長は赤色（６５０ｎｍ）から、青紫色（４０５ｎｍ）になりつつある。また、対物レンズの開口数も０．６や０．６５から０．８５へと高められようとしている。また、一方では、同じ光スポットの大きさを用いて、より効率のよい多値記録再生の技術も提案されている。
【０００４】
例えば、本願発明者は、多値記録再生技術の方式として、特開平５−１２８５３０号公報を提案している。それは、光学的情報記録媒体の情報トラック上に、情報ピットのトラック方向の幅と、その情報ピットの再生用光スポットに対するトッラク方向のシフト量の組み合せによって、多値情報を記録する記録方法。その多値記録した情報ピットを再生する際、予め学習しておいた検出信号と光スポットから得られた検出信号との相関より多値情報を再生する再生方法とを提案している（特許文献１）。
【０００５】
また、光ディスク分野の研究における国際学会であるＩＳＯＭ２００３において、８レベルの多値記録再生を行った発表がなされている（非特許文献１）。その光学系は、青紫色の光源（４０５ｎｍ）とＮＡ０．６５である。トラックピッチが０．４６μｍの光ディスクに対して、仮想的に設けた一つの情報ピットを記録する領域（以下、セルと記述する）のトラック方向の幅は０．２６μｍとなっている。
【０００６】
また、本出願人から、更に、青紫色の光源（４０５ｎｍ）とＮＡ０．８５光学系を用い、光スポットを微小化して、ＩＳＯＭ２００３で発表された多値方式に適応し、およそ３０Ｇｂｉｔ／ｉｎｃｈ２程度の高密度化を行う提案がなされている。
【０００７】
これによると、８レベルの情報ピットの選択は、例えば、図１３に示すようにセルのトラック方向（図中Ａ方向）の幅を１６等分（１６チャンネルビット）している。レベル０を何も情報ピットを記録しない。レベル１を２チャンネルビットの幅。レベル２を４チャンネルビットの幅。レベル３を６チャンネルビットの幅。レベル４を８チャンネルビットの幅。レベル５を１０チャンネルビットの幅。レベル６を１２チャンネルビットの幅。レベル７を１４チャンネルビットの幅としている。
【０００８】
図１４に光ディスク上のトラックに対して、ランダムな情報ピットを記録した時の模式図と、光スポットの関係を示す。
【０００９】
記憶容量を増やすためには、セルの大きさを小さくする必要があり、小さくすると図１４に示すように光スポット内に２〜３個のセルの情報ピットが含まれることになる。図において、矢印Ａ方向が同様にトラック方向を示し、破線で区切られた領域が仮想的に設けられた、それぞれのセルであり、１１は光ディスク上のトラック、１２はランダムな情報ピット、１３を記録する光ディスクを示す。
【００１０】
ここで、光スポットの大きさ約０．４０５μｍに対し、セルの幅を０．２μｍとしている。このスケールだと、２値レベルの従来方式（例えば、１−７ＰＰ変調、２Ｔ＝１３９ｎｍ）とした時の面密度約１９．５Ｇｂｉｔ／ｉｎｃｈ２に対して、約１．５倍の面密度向上が可能である。
【００１１】
次に、この方式による再生信号の様子を知るために、光学シミュレーションを行った結果を説明する。
【００１２】
図１５に光学シミュレーションに用いたパラメータを示している。トラックのピッチは０．３２μｍ。光スポットの大きさは０．４０５μｍ（波長４０５ｎｍ、対物レンズの開口数：ＮＡ０．８５）。セルの大きさを０．２μｍ。与えた情報ピットの形状は、図１３に示したそれぞれのレベルに対して図１６のように与えた。
【００１３】
図１７は連続する３つのセルに８種類のレベルを順次組合わせて与え（全ての組合わせは８ｘ８ｘ８＝５１２通り）、光スポットを初めのセル（前のセル）中心から３つ目のセル（後ろのセル）中心まで移動させたときの再生信号（反射光量）を計算した。
【００１４】
図１７の下図では、３つのセルのレベルの組合わせ（０，１，６）から（７、１、６）の８通りを例に取り示した。（３つのセル以外はすべて０レベルとしている）
図中の３本の実線の位置はそれぞれのセル中央に光スポットがある場合の再生信号（セル中央値）を示し、２本の破線の位置はセルとそれに続くセルの境界に光スポットがある場合の再生信号（セル間値）を示している。
【００１５】
これから分かることは、このパラメータにおいては、真中のセルのセル中央値はレベル『１』に対応するものだが、左側のセルのレベルが『０』から『７』変化することで、同じ値を取らず、幅を持つことが分かる。これが符号間干渉の影響である。しかし、右側のセルのセル中央値は、真中のセルのレベルが『１』と同じであれば、さらにその左側のセルのレベルが何であっても、ほぼ同じ値をとることが分かる。つまり、セル中央値に対する符号間干渉の影響の範囲は左右両隣のセルからのみでそれより外側の影響は無視できることが分かる。図１４で真中のセル上にある光スポットの裾が左右のセル上にかかっていることからも直感的に分かる。
【００１６】
図１８は３つの連続するセルに記録するレベルの全ての組合わせにおいて、真中のセルのレベルを横軸に取り、それぞれの再生信号の振幅の分布を示したものである。（ここでは、マーク部と非マーク部の反射率で規格化している）図中ＡからＨの分布が、それぞれ、レベル０から７に対応している。
【００１７】
図から分かるように、隣接するレベルの再生信号の分布の重なりが多くなり、このままでは、固定の閾値を用いたレベルの識別は困難である。そこで、一般的には、再生信号を波形等化のような信号処理を行って再生信号の分布の分離度を高めようとする。例えば、図１８に示すような、３タップの波形等化を計算する。ここで、Ｔは、一つのセル中央から、隣のセル中央に光スポットが移動する時間、また、ａは等化計数で、ここでは、ａ＝‐Ｖ１／（１＋Ｖ１）、Ｖ１＝０．２３７として計算した。（Ｖ１：振幅１の孤立波形に対する隣のセルにおける振幅値）
図１９にその結果を示した。Ａ’からＨ’はそれぞれレベル０から７の分布に対応している。図から分かるように、固定の閾値でそれぞれの分布が分離できることがわかる。
【００１８】
【特許文献１】特開平５−１２８５３０号公報
【非特許文献１】ＩＳＯＭ２００３（Ｗｒｉｔｅ−ｏｎｃｅ  Ｄｉｓｋｓ  ｆｏｒ  Ｍｕｌｔｉ−ｌｅｖｅｌ  Ｏｐｔｉｃａｌ  Ｒｅｃｏｒｄｉｎｇ：予稿集Ｆｒ−Ｐｏ−０４）
【発明の開示】
【発明が解決しようとする課題】
【００１９】
図２０で示した結果では、確かに固定の閾値で分離できる。しかし、これは理想的なシミュレーション結果であり、これに、媒体ノイズや記録ノイズ、システムノイズ等が加わり、それぞれの分布が広がることになる。それによって再生エラーが生じる可能性が高くなる。また、再生マージンも少なくなる。従って、更に分離度の高い再生信号の補正処理が必要となる。
【００２０】
そこで、本発明は、更に再生信号の分布の分離度を高くして、多値情報の符号間干渉の影響を低減することを目的とする。
【課題を解決するための手段】
【００２１】
本発明は、上記目的を達成するため、以下を提供する。
【００２２】
トラックを備えた光学的情報記録媒体に対して、前記トラック上に設けられた仮想的な一定間隔のセルに、トラック方向に情報ピットの幅、或いは、情報ピットの面積を変えて、再生信号の振幅を多段階にすることによりｎレベルの多値情報を記録及び／又は再生する光学的情報記録再生装置において、連続する３つのセルにおける前後セルの多値の合計値に対する中央セルの取り得る再生信号振幅の変化の割合を予め取得する手段と、再生する際に、セル毎に隣接する前後セルの多値の合計値を取得する手段と、前記合計値と前記変化の割合とに基づいて中央セルで取得された再生信号振幅を補正し、補正された再生信号振幅に基づいて多値情報の再生を行う再生手段とを備える光学的情報記録再生装置。
【発明の効果】
【００２３】
本発明によれば、多値情報の符号間干渉の影響を低減することができ、再生信号の分布の分離度があがり、再生の確度が向上する。
【発明を実施するための最良の形態】
【００２４】
次に、発明を実施するための最良の形態について図面を参照して詳細に説明する。
【００２５】
図１は本発明による光学的情報記録再生装置の一実施形態の構成を示すブロック図である。
【００２６】
光学的情報記録再生装置１は、制御回路２、スピンドルモータ３、光ディスク４、光ヘッド５、光ヘッド制御回路６、情報記録回路７、情報再生回路８、スピンドルモータコントローラ９及びインターフェースコントローラ１０を有する。
【００２７】
制御回路２は、外部のコンピュータ等の情報処理装置との情報の送受信を制御し、光ディスク４に対する情報の記録や再生を情報記録回路７と情報再生回路８を用いて制御し、また、その他の稼働部を制御する。情報記録回路７は後述するように多値情報の記録を行い、情報再生回路８は多値情報の再生を行う。
【００２８】
スピンドルモータ３は、スピンドルモータコントローラ９により制御され、光ディスク４を回転駆動する。光ディスク４は、不図示の機構により光学的情報記録再生装置１に対して挿入または排出される光学的情報記録媒体である。
【００２９】
光ヘッド５は、光ディスク４に光学的に情報を記録し、再生する。光ヘッド５に関しては、従来例と同様に、光源の波長を４０５ｎｍ、対物レンズの開口数を０．８５とすると、光スポットの大きさは、およそ０．４０５μｍとなる。光ディスク４のトラックピッチは０．３２μｍとする。光ヘッド制御回路６は光ヘッド５による光スポットの位置を制御するものであり、オートトラッキング制御、シーク動作の制御、オートフォーカシング制御を行う。
【００３０】
本発明の光学的情報記録再生装置に用いる多値情報ピットのレベルの違いによるトラック方向（図中Ａ方向）の幅については、従来例図１３で示したものと同じとする。
【００３１】
本方式は、８値記録であり、一つのセルに３ビットを記録することができる。例えば、３ビットの情報に対して、（０，０，０）は０レベル。（０，０，１）は１レベル。（０，１，０）は２レベル。（０，１，１）は３レベル。（１，０，０）は４レベル。（１，０，１）は５レベル。（１，１，０）は６レベル。（１，１，１）は７レベルに対応させるものとする。もちろん、他の対応方式でもよい。
【００３２】
図２から図１１は光学シミュレーションの結果であり、この結果を用いて、本発明を説明していく。計算に用いたパラメータは、従来例図１５、１６で説明したものと同じとする。
【００３３】
図２は、図１８同様に、３つの連続するセルに記録するレベルの全ての組合わせにおいて、真中のセルのレベルを横軸に取り、波形等化前のそれぞれの再生信号の振幅の分布を示したものである。（ここでは、マーク部と非マーク部の反射率で規格化している）図中ＡからＨの分布が、それぞれ、レベル０から７に対応している。符号間干渉により、隣接するレベルの分布が重なり、固定の閾値ではこのままでは検出できない。
【００３４】
図中にＸの印で示されている点は、それぞれ、（３、０、２）、（３、１、２）、（３、２、２）、（３、３、２）、（３、４、２）、（３、５、２）、（３、６、２）、（３、７、２）に対応している。これから分かるように、前後のセルの組合わせが同じであれば、各レベルの分布内で、相対的に同じ位置にＸ印があることが分かる。
【００３５】
図３は、さらに、横軸を前後のセルのレベルの合計として、図２の結果をプロットしなおしたものである。縦軸は再生信号の振幅で、マーク部と非マーク部の反射率で規格化している。ＡからＨのそれぞれ分布は、ＩからＰの直線上の●印の分布に展開される。図から、前後のセルの合計が同じであれば、再生信号の振幅がほぼ同じ値をとることが分かる。例えば、Ｉの０レベルに対応する直線で見ると、前後のセルのレベルの合計が５となる組合わせ、（０、０、５）、（１、０、４）、（２、０、３）、（３、０、２）、（４、０、１）、（５、０、１）は全て、Ｑの点にほぼ重なっている。
【００３６】
従来例で行った波形等化の処理について考えると、図３で得られた直線の分布をある基準値を通る傾き０の直線に補正にすればよいことが分かる。
【００３７】
具体的にその方法を説明する。図４は、図３で求めた直線の分布に対して、基準値を前後のセルのレベルの合計が７の時の値としている。それぞれのレベルの基準値は○印で表され、図２で示した、各レベルに対応した、ＡからＨの分布のそれぞれのほぼ中央に位置している。
【００３８】
各直線ＩからＰ（各レベルに対応した直線）の基準値の値と、傾きを図５にまとめて示した。再生値を基準値に補正するためには、再生値と基準値の差を引けばいい。
【００３９】
つまり、直線が：Ｙ＝−ｂＸ＋ｃと得られた場合（Ｘは横軸、Ｙは縦軸、ｂは傾き、ｃは切片の値）、Ｘ＝７の時のＹの値：（−７ｂ＋ｃ）がぞれぞれの基準値となる。
【００４０】
再生信号をＳとし、その時の前後のセルのレベルの合計値：Ｘｓが求まると、
［Ｓ＋｛（−７ｂ＋ｃ）−（−Ｘｓ＊ｂ＋ｃ）｝］＝［Ｓ＋（Ｘｓ−７）ｂ］］の補正をすることになる。
【００４１】
図３または、図５を見て分かるように、ＩからＰの８本の直線の傾きは同じではない。これは、光スポットの形状が均一でなく、スポットの中心から外側に行くほど、光量が小さくなっているため、大きな幅（または、面積）のマークが関与するほど、変化率が線形から鈍化するために生じる非線形性である。また、８本の直線の傾きだけでなく、それぞれの直線の間隔が、下に行くほど狭くなっていることが分かる。これも光スポットが均一でないために生じる非線形性である。この２つの非線形性は従来の波形等化では、補正できない。そのために、理想的な計算を行っても、図２の分布は一点に収束せず、図２０のように広がりが残ったのもであった。
【００４２】
今、補正を行うにあたって、例えば、レベル７の直線の傾きを代表値として、補正値計数に用いることにすると、その補正結果は図６のようになる。傾きを採用した７レベルはほぼ一点に収束している。また、対極の０レベルにしても図２０の結果に比べて、収束していることが分かる。ここでは、非線形性の多い、７レベルの傾きを代表値として説明したが、中央のレベル、例えば、３や４のレベルの傾きを代表値として補正値計数に用いても良い。また、傾きの補正値計数をＩからＰの８本の直線の傾きの平均値としても良い。
【００４３】
図６の結果でみると、各レベルの分布の基準値（中心値）は大きなレベルにいくにつれて、その間隔が小さくなっている。次にこれを補正する方法について説明する。
【００４４】
図７の左側は各レベルの孤立マーク（前後のセルが０レベルで中央セルが各レベルのマーク）の再生値を示している。これを右側のような等間隔の値に補正することを考えると、その補正曲線は、｛ｙ＝−０．７０３１ｘ２＋２．０５５６ｘ−０．３８９４｝として得られる。（ｘは補正前の値、ｙは補正後の値）この補正曲線を用いて、図６の分布の非線形性を補正すると、図８が得られる。
【００４５】
図から分かるように、各分布の基準値（中央値）が等間隔に補正されている。サンプル値は以上のような補正が行われた後に、各レベルの基準値との差の絶対値を計算し、一番小さな値となるレベルを再生値として採用する。非線形性を補正を行うのに孤立マークの値を用いて行ったが、その他基準値のように分布の中での位置が同じであれば、どのマークを用いて行ってもよい。
【００４６】
ここまで、理想的な値を用いて説明してきたが、実際には、このサンプル値にシステムノイズや記録ノイズ等が加わることになり、図６や図８で示した分布は広がりを持つ事になる。
【００４７】
一連の補正は、各サンプル値を本来の再生レベルの基準値に近づける操作である。再生に当たっては、補正後のそれぞれのレベルの基準値と、補正後のサンプル値との差を求め、一番差が小さい値のレベルを再生レベルとする。これにより、確度の高い多値再生を行うことができる。
【００４８】
図６では、７のレベルの傾きを補正値計数の代表値として採用したので、０のレベルにいくに従って、分布に広がりをもっていた。そこで、次にそれぞれのレベルの傾きを補正値計数として採用し補正する方法について説明する。
【００４９】
サンプル値：Ｓに対して、補正式は前述同様に、［Ｓ＋（Ｘｓ−７）ｂ］となる。ただしここでは、ｂは、各レベルに従って、図５で示された傾きを採用する。
【００５０】
図９がその結果である。全てのレベルにおいて、一点に分布が収束していることがわかる。さらに図８と同様に非線形性の補正を考えると、図１０で各レベルの孤立マークに対して、右側の補正値を採用すると、
その補正曲線は、｛ｙ＝−０．７５５１ｘ２＋２．１４３５ｘ−０．４２９５｝となる。
【００５１】
図１１が最終的な補正後の分布である。各レベルがほぼ一点に収束し、それぞれの基準値が等間隔になっていることが分かる。サンプル値は以上の補正を行った後、各レベルの基準値との差の絶対値を計算し、一番小さなレベルを再生値として採用する。
【００５２】
以上、サンプル値に対して、符号間干渉の影響を取り除く補正と非線形性を取り除く補正について説明したが、補正を行って情報を再生する方法をもう一度図１２のフローチャートを用いて説明する。ここでは、個々のレベルの傾きを用いて補正する方法を説明する。
【００５３】
まず、Ｓｔｅｐ１にて再生の操作を始める。Ｓｐｅｔ２において、図２もしくは図３の分布（学習テーブル）を得る。Ｓｔｅｐ３で、学習テーブルより、各レベルの傾き：ｂと基準値：ｔ０、ｔ１、・・・ｔ７を得る。（図５の如く）。
【００５４】
ここまで説明してきた学習テーブルの求め方は、光ディスク上に情報とともに、３つの連続するセルの全てのパターンを学習データとして記録しておき、再生の際にそれを読み出し、学習テーブルを作成するようにしても良い。更に、シミュレーションで得られる学習テーブルのパターンを記憶しておき、光ディスク上に記録しておいた、一部のデータを再生することでフィッティングして学習テーブルを得ることにしても良い。
【００５５】
Ｓｐｅｔ４に進み、情報の再生を始め、順次サンプル値Ｓｋを得ていく。順次得たサンプル値Ｓｋのレベルが何であるかＳｔｅｐ５に進み、仮決めし、メモリ等に記憶しておく。この際、仮決めの方法として、Ｓｔｅｐ３で求めた各レベルの基準値と、Ｓｔｅｐ４で求めたサンプル値Ｓｋとの差の絶対値を求める。そして、一番小さいレベルを仮決めのレベルとしてもよいし、従来例でしめした波形等化を行った後に得られる、基準値とサンプル値の差を求めて決めても良い。
【００５６】
Ｓｔｅｐ６に進み、［Ｓｋ＋（Ｘｓ−７）ｂ］の補正式で、符号間干渉の影響を補正する。この場合、前後のレベルの合計値である、Ｘｓは、Ｓｔｅｐ５で求めた仮決めされた前後のセルのレベル値を用いる。もちろん、前のセルの値については、再生後の値を用いてもよい。また、一連の再生を繰り返し処理してもよい。ここでは、８レベルに対して個々の傾きを用いるので、一つのサンプル値Ｓｋに対して、８個の補正値を得る。（Ｓｋ０、Ｓｋ１、・・・Ｓｋ７）一つのレベルの傾きを代表値とする場合や、８つのレベルの傾きを平均して用いる場合は、補正値は一つとなる。
【００５７】
Ｓｔｅｐ７に進み、非線形性の補正を行う。ここでは、孤立マークのサンプル値より得ておいた補正曲線を用いる。（図１０の如く）Ｓｔｅｐ６で得た８つの補正値はさらに、非線形性を補正される。（Ｓｋ’０，Ｓｋ’１、・・・、Ｓｋ’７）、基準値も等間隔に補正される。（ｔ’０、ｔ’１、・・・、ｔ’７）
Ｓｔｅｐ８に進み、それぞれのレベルに対応した。補正値と基準値との差｜Ｓｋ’ｎ‐ｔ’ｎ｜、（ｎ＝０から７）を計算する。そして、Ｓｔｅｐ９で、一番小さな値となったレベルを再生値とする。
【００５８】
Ｓｔｅｐ１０に進み、情報の再生を続ける場合は、Ｓｔｅｐ４に戻り、順次再生を続け、終える場合は、Ｓｔｅｐ１１に進み、再生の操作を終える。
【００５９】
ここで、Ｓｔｅｐ７において、基準値の補正は２度目以降は同じ値となるので、省くことができる。
【００６０】
以上８レベルについて説明したが、一般的にｎレベルの場合、連続する３つのセルの、ｎレベルの全ての組合わせの再生信号で、学習テーブルを求める。それより、補正値を得て、中央セルに対する前後のセルのレベル数の合計に従った補正量で中央セルの再生信号を中央セルのレベルに従った基準値に近づけるように補正する。この補正により符号間干渉の影響を低減できる。この際、各レベルに従った補正値を用いることで、非線形性も補正できる。
【００６１】
またさらに、各レベルの基準値が等間隔になるように補正することで、非線形性がさらに補正できる。
【００６２】
図１２では、前後のセルのレベルを仮決めして補正を行う方法について説明した。この場合、前後のセルのレベルｎ個の整数にしたが、サンプル値に従い、アナログ値で表してもよい。例えば、サンプル値が３の基準値と４の基準値の間にあって、両者の基準値の差を１と規格化し場合、０．３５の位置にいたとすると、そのサンプル値を３．３５とアナログ値で表すことにする。このように、前後のセルのレベルをアナログ値でもとめて、Ｘｓとし、同様に［Ｓｋ＋（Ｘｓ−７）ｂ］の式に従って、補正するようにしてもよい。
【００６３】
光ディスク４としては、記録消去可能な記録材料として相変化材を利用する場合、光ディスク４に光スポット１３を照射し、記録パルス、消去パルス、冷却パルスのそれぞれの光量とタイミングを調整する。これにより、情報ピットの形状を変化させ、複数の再生レベルの情報ピットが形成される。ここまでの説明では便宜上、矩形の情報ピットとして示しており、トラック方向の幅を変化させた様子を示しているが、各レベルの面積に対応していれば、矩形の情報ピットでなくても、円形や、楕円形、または矢尻型のマークであっても本提案の本質は変わらない。
【００６４】
なお、記録消去可能な記録材料としては相変化材料以外にも光磁気材料が利用できる。この場合、上述した光学的情報記録再生装置で光スポット以外に図示しない磁気ヘッドからの磁界との協調作業により、情報ピットの形状を変化させ、複数の再生レベルの情報ピットを形成する。
【００６５】
更に、追記のみ可能な記録材料を適用することも可能である。記録材料として有機色素や金属膜を利用でき、光ディスクに光スポットを照射する。そして記録光量とそれらのタイミングを調整することにより、情報ピットの形状を変化させ、複数の再生レベルの情報ピットが形成される。また、再生専用の記録媒体でも同様に、情報ピットは位相ピットと呼ばれる凹凸形状として基板に形成でき、この位相ピットの面積或いは位相ピットの光学的な深さを変調することで多値レベルの記録が可能である。
【００６６】
なお、図３で得られる直線の傾きを求めるためには、全ての前後セルの組合せでなくてもよい。具体的には、前後セルの多値の合計値に対する中央セルの取り得る再生信号の値を２以上取得することにより、直線の傾きを求めることができる。
【００６７】
これにより、少ない領域で学習することができ、媒体の効率化を図ることもできる。
【図面の簡単な説明】
【００６８】
【図１】本発明に係る光学的情報記録再生装置の一実施形態を示すブロック図。
【図２】本発明に係る学習テーブルの特徴を示す図。
【図３】同じく、本発明に係る学習テーブルの特徴を示す図。
【図４】本発明の補正及び再生に用いる基準値を説明する図。
【図５】本発明の補正及び再生に用いる基準値と傾きの例を示す図。
【図６】本発明の符号間干渉の影響を補正する実施例で、レベル７の傾きを例にとった図。
【図７】本発明の非線形性を補正する際の補正値を説明する図。
【図８】本発明の非線形性を補正した結果を示す図。
【図９】本発明の符号間干渉の影響を補正する他の実施例で、各レベルの傾きを用いた結果を示す図。
【図１０】本発明の他の非線形性を補正する際の補正値を説明する図。
【図１１】本発明の他の非線形性を補正した結果を示す図。
【図１２】本発明の補正及び再生の方法を説明するフローチャート。
【図１３】多値マークを説明する図。
【図１４】トラックに対してランダムな情報ピットを記録した時の模式図と光スポットの関係を示す図。
【図１５】光学シミュレーションのパラメータを説明する図。
【図１６】光学シミュレーションで与えた情報ピットの形状を説明する図。
【図１７】光学シミュレーションの計算結果で、連続する３つのセルに書かれた情報ピットの組合せに対する再生信号を説明する図。
【図１８】セル中央値の振幅分布を示す図で、横軸は中央セルのレベル。
【図１９】３タップの波形等化を説明するための図。
【図２０】波形等化後の結果を説明する図。
【符号の説明】
【００６９】
１  光学的情報記録再生装置
２  制御回路
３  スピンドルモータ
４  光ディスク
５  光ヘッド
６  光ヘッド制御回路
７  情報記録回路
８  情報再生回路
９  スピンドルモータコントローラ
１０  インターフェースコントローラ
１１  トラック、
１２  情報ピット
１３  光スポット
【図１】
2007066464.tif 000003
【図２】
2007066464.tif 000004
【図３】
2007066464.tif 000005
【図４】
2007066464.tif 000006
【図５】
2007066464.tif 000007
【図６】
2007066464.tif 000008
【図７】
2007066464.tif 000009
【図８】
2007066464.tif 000010
【図９】
2007066464.tif 000011
【図１０】
2007066464.tif 000012
【図１１】
2007066464.tif 000013
【図１２】
2007066464.tif 000014
【図１３】
2007066464.tif 000015
【図１４】
2007066464.tif 000016
【図１５】
2007066464.tif 000017
【図１６】
2007066464.tif 000018
【図１７】
2007066464.tif 000019
【図１８】
2007066464.tif 000020
【図１９】
2007066464.tif 000021
【図２０】
2007066464.tif 000022